(57)【特許請求の範囲】
【請求項１】
ボリウム素子およびスイッチ素子を内蔵し、前記ボリウム素子およびスイッチ素子を操作する回転軸が突出して形成される本体と、前記回転軸の先端に取付けられるツマミとを備え、前記ツマミを回転させることで前記回転軸を介して前記ボリウム素子の調整が行われ、前記ツマミをプッシュ操作することで前記回転軸を介して前記スイッチ素子のＯＮ／ＯＦＦ操作が行われるプッシュスイッチ付きボリウムにおいて、
該プッシュスイッチ付きボリウムが取付けられる電子機器の筐体と、前記ツマミとの間に介在され、前記回転軸の軸方向に弾発力を発生する弾性部材と、前記弾性部材によって前記ツマミの裏面に押し付けられる摩擦部材とを備えて構成されるトルク調整機構を含み、
前記弾性部材は、板バネから成り、該板バネは、前記本体で回転軸を支持する支持筒の回りに嵌め込まれる環状の取付け部と、前記取付け部の外周縁から前記支持筒の一直径線上に一対で相互に離反する方向に延びる連結部と、前記連結部の遊端から、前記支持筒の周方向に略半円弧状に形成され、かつ螺旋状の傾斜を有するバネ部とを備えて構成され、
前記筐体には、前記支持筒の外側に、前記取付け部および該支持筒を前記筐体に固定するためのナットが嵌り込むための間隔を開けて、周方向に複数の案内突起が配列されており、前記連結部は、２つの案内突起の隙間から外方へ延びることを特徴とするプッシュスイッチ付きボリウム。
【請求項２】
前記請求項１記載のプッシュスイッチ付きボリウムを備えることを特徴とする電子機器。
【発明の詳細な説明】
【技術分野】
【０００１】
本発明は、プッシュスイッチ付きボリウムと、それを用いる無線機などの電子機器に関する。
【背景技術】
【０００２】
プッシュスイッチ付きボリウムは、ボリウム素子およびスイッチ素子を内蔵し、前記ボリウム素子およびスイッチ素子を操作する回転軸が突出して形成される本体と、前記回転軸の先端に取付けられるツマミとを備えて構成される。そして、ツマミを回転させることで、回転軸を介してボリウム素子の調整が行われる。前記スイッチ素子と、ボリウム素子とは、回転軸の軸方向に並んで配置され、一般に、ツマミに近い側にボリウム素子が、遠い側にスイッチ素子が配置されている。このボリウム素子は、右（時計回りの）回転に伴い、レベルがアップする通常のボリウムとしてだけでなく、減衰率がアップするアッテネータとして使用されることもある。また、スイッチ接点は、回転軸を介して、ツマミのプッシュでＯＮ、再度のプッシュでＯＦＦ、あるいはプッシュの間だけＯＮされるものがあり、プッシュ力が解除されると、内部のバネの反発力によって、回転軸およびツマミを復帰させる。
【０００３】
ここで、ボリウムツマミは、使用者の操作以外にも、振動や、該ツマミが何らかの部材に意図せずに接触することで、ボリウムが変って（ズレて）しまう可能性がある。このようなケースは携帯形の電子機器の場合に顕著である。そこで、このような不具合を防止するために、本件出願人は、回転ツマミのトルクアップに関して、特許文献１を提案している。
【０００４】
特許文献１は、ボリウム素子の回転軸を支持する支持筒を、筐体やパネルに嵌め込んだ後、固定するナットを環状に形成し、そのナットに環状の弾性部材を嵌め込み、該弾性部材の外周がツマミの内周に接触することで、回転軸（ツマミ）のブレーキトルクをアップさせている。
【先行技術文献】
【特許文献】
【０００５】
【特許文献１】特許第４８１１３５２号公報
【発明の概要】
【発明が解決しようとする課題】
【０００６】
特許文献１は、ナットを交換するだけで、既存の構成に応用でき、また接触部分の形状を工夫することで、嵌め易くしたトルク調整の構造である。しかしながら、弾性部材１１のトルク発生部２０は、回転ツマミとの接触面あるいはパネル２６の円筒面２７との接触面に摩擦を生じさせるため、回転ツマミをパネル２６の方向に押しこむ（プッシュする）ことの妨げとなり、本発明が対象とするような、回転軸やツマミがプッシュ操作されるプッシュスイッチ付きのボリウムには、適用できない。
【０００７】
本発明の目的は、ブレーキトルクをアップすることができるプッシュスイッチ付きボリウムおよびそれを備える電子機器を提供することである。
【課題を解決するための手段】
【０００８】
本発明のプッシュスイッチ付きボリウムは、ボリウム素子およびスイッチ素子を内蔵し、前記ボリウム素子およびスイッチ素子を操作する回転軸が突出して形成される本体と、前記回転軸の先端に取付けられるツマミとを備え、前記ツマミを回転させることで前記回転軸を介して前記ボリウム素子の調整が行われ、前記ツマミをプッシュ操作することで前記回転軸を介して前記スイッチ素子のＯＮ／ＯＦＦ操作が行われるプッシュスイッチ付きボリウムにおいて、該プッシュスイッチ付きボリウムが取付けられる電子機器の筐体と、前記ツマミとの間に介在され、前記回転軸の軸方向に弾発力を発生する弾性部材と、前記弾性部材によって前記ツマミの裏面に押し付けられる摩擦部材とを備えて構成されるトルク調整機構を含み、前記弾性部材は、板バネから成り、該板バネは、前記本体で回転軸を支持する支持筒の回りに嵌め込まれる環状の取付け部と、前記取付け部の外周縁から前記支持筒の一直径線上に一対で相互に離反する方向に延びる連結部と、前記連結部の遊端から、前記支持筒の周方向に略半円弧状に形成され、かつ螺旋状の傾斜を有するバネ部とを備えて構成され、前記筐体には、前記支持筒の外側に、前記取付け部および該支持筒を前記筐体に固定するためのナットが嵌り込むための間隔を開けて、周方向に複数の案内突起が配列されており、前記連結部は、２つの案内突起の隙間から外方へ延びることを特徴とする。
【０００９】
上記の構成によれば、プッシュスイッチ付きボリウム、詳しくはツマミのプッシュでＯＮ、再度のプッシュでＯＦＦしたり、プッシュしている間だけＯＮするスイッチ素子に、ボリウム素子を備えて成るプッシュスイッチ付きのボリウムにおいて、該プッシュスイッチ付きボリウムが取付けられる電子機器の筐体と前記ツマミとの間に、トルク調整機構を介在する。そのトルク調整機構は、前記プッシュ操作に対応するために、前記プッシュ操作およびボリウム調整を行うための回転軸のプッシュのストロークより大きな撓み量で、プッシュ方向、すなわち前記回転軸の軸方向に弾発力を発生する弾性部材と、前記弾性部材によって前記ツマミの裏面に押し付けられる摩擦部材とを備えて構成される。
【００１０】
したがって、ブレーキトルクをアップする摩擦部材を設けて、ツマミが意図せずに何らかの部材に接触してボリウムが変って（ズレて）しまうことを防止するにあたって、単純に前記摩擦部材を設けるだけでは、プッシュ操作に対応できない、つまり通常の回転のみのボリウムにしか適用できないのに対して、弾性部材を介在することで、プッシュ操作にも対応することができる。
【００１２】
また、板バネは、板金加工によって容易に作成することができるとともに、弾性部材として、スポンジなどに比べて、経年の劣化にも強く、好適である。
【００１５】
さらにまた、摩擦部材をバランス良くツマミの裏面に押し付けるためには、板バネによる支点が多い方が良く、これに対してプッシュのストロークに対応するには、長い板バネの方が容易である。そこで、好ましくは、板バネにおいて、摩擦部材を支持するバネ部を、回転軸の支持筒の１８０°対向位置の２箇所からほぼ半周に延びて形成する。
【００１６】
これによって、摩擦部材をバランス良く支持できるとともに、充分な弾発力で、かつその調整が容易で、また板バネを急激に立ち上げた場合に生じるような無理なストレスが掛り難く、割れ難くなる。特に、バネ部の長さが稼ぎ難い回転軸やツマミが小径の場合に、この２箇所から延びるバネ部が好適である。
【００１８】
さらにまた、案内突起によって、前記環状の取付け部の径方向のずれを抑えることができるとともに、２つの案内突起の隙間への連結部の嵌り込みによって、板バネの回転も抑えることができる。また、前記ツマミのプッシュ操作に対して、バネ部は案内突起の外周側に沿って上下することになり、動作を安定させることができる。
【００２２】
また、本発明の電子機器は、前記のプッシュスイッチ付きボリウムを備えることを特徴とする。
【００２３】
上記の構成によれば、プッシュスイッチ付きボリウムを使用していても、意図せずにボリウムが変らない電子機器を実現することができる。
【発明の効果】
【００２４】
本発明のプッシュスイッチ付きボリウムおよびそれを用いる電子機器は、以上のように、該プッシュスイッチ付きボリウムが取付けられる電子機器の筐体とツマミとの間に、プッシュ操作およびボリウム調整を行うための回転軸の軸方向に弾発力を発生する弾性部材と、前記弾性部材によって前記ツマミの裏面に押し付けられる摩擦部材とを備えるトルク調整機構を介在する。
【００２５】
それゆえ、ブレーキトルクをアップする摩擦部材を設けて、ツマミが意図せずに何らかの部材に接触してボリウムが変って（ズレて）しまうことを防止するにあたって、弾性部材を介在することで、プッシュ操作にも対応することができる。
【図面の簡単な説明】
【００２６】
【図１】本発明の実施の一形態に係るプッシュスイッチ付きボリウムを用いる電子機器の一部分を拡大して示す断面図である。
【図２】図１の斜視図である。
【図３】図１および図２の分解斜視図である。
【図４】前記電子機器の筐体における前記プッシュスイッチ付きボリウムの取付け手順を示す図である。
【図５】前記プッシュスイッチ付きボリウムのプッシュ中の状態を示す断面図である。
【発明を実施するための形態】
【００２７】
図１は本発明の実施の一形態に係るプッシュスイッチ付きボリウム１（以下、ボリウム１と言う）を用いる電子機器２の一部分を拡大して示す断面図であり、図２は図１の斜視図であり、図３は図１および図２の分解斜視図である。電子機器２は、たとえばハンディタイプの無線機であり、ボリウム１は、筐体３の上部の右端側に配置される。図示しない筐体３の上部の左端側にはアンテナが立設され、中央部付近にはバンド選択のツマミや周波数調整用のツマミが配置されている。
【００２８】
ボリウム１は、本体１１内に、ツマミ１２のプッシュでＯＮ、再度のプッシュでＯＦＦ、あるいはプッシュの間だけＯＮするスイッチ素子１３と、ツマミ１２を回転させることでボリウム調整を行うことができるボリウム素子１４とを備えて構成される。スイッチ素子１３と、ボリウム素子１４とは、回転軸１５の軸方向に並んで配置され、一般に、図１のように、ツマミ１２に近い側にボリウム素子１４が、遠い側にスイッチ素子１３が配置されている。このボリウム１は、たとえばプッシュのストロークは０．５ｍｍであり、回転の範囲は３００°である。ボリウム１は、右（時計回りの）回転に伴い、レベルがアップする通常のボリウムとしてだけでなく、減衰率がアップするアッテネータとして使用されることもある。ツマミ１２は、樹脂などで帽状に形成されて、回転軸１５の先端から嵌め込まれる。
【００２９】
図４は、筐体３におけるボリウム１の取付け手順を示す図である。（ａ１）〜（ａ３）は平面図、（ｂ１）〜（ｂ３）は対応する斜視図である。金属、或いは樹脂製の筐体３の上部パネル３１において、前記右端側には、ボリウム１を取付けるための開口３２が形成されるとともに、図２および図３で示すように、ツマミ１２の外部との意図しない接触をさけるためのカバー３３が、右外側部側となるに連れて高くなるように形成されている。
【００３０】
ツマミ１２の外周部には、ローレット状に、すなわち周方向に交互に、軸方向に延びる凹凸１２１が、滑り止めのために形成される。そして、凹凸１２１の内の１本の凸条１２２が高く形成されて、ボリウムレベルを示す指針となっている。そのため、カバー３３は、その１本の凸条１２２が通過するための間隔３３１を開けて配置される。
【００３１】
本体１１において、ボリウム素子１４の部分からは、回転軸１５を支持する支持筒１６が延びて形成されており、支持筒１６の外周部には外ネジが刻設されている。図４（ａ２）および（ｂ２）で示すように、筐体３の内部側にボリウム１を配置し、その回転軸１５および支持筒１６を開口３２に挿通させることで、図１で示すように、大径のボリウム素子１４の部分と小径の支持筒１６の部分とで形成された段差で上部パネル３１の裏面側を受け、その後、図４（ａ３）および（ｂ３）で示すように、表面側は支持筒１６に螺着されたナット１７で受けることで、該ボリウム１が筐体３に固着される。図１で示すように、ボリウム１において、支持筒１６の内周面と回転軸１５の外周面との間は参照符号１８の丸印で示す部分でＯリングなどで防水処理が施され、支持筒１６の外周面と開口３２の内周面との間は参照符号１９の丸印で示す部分でＯリングなどで防水処理が施される。
【００３２】
上述のように構成されるボリウム１および筐体３において、筐体３の上部パネル３１とツマミ１２との間には、図１および図３で示すようなトルク調整機構４が介在される。本発明のトルク調整機構４で注目すべきは、プッシュ操作に対応するために、回転軸１５のプッシュのストロークより大きな撓み量を有し、プッシュ方向、すなわち回転軸１５の軸方向に弾発力を発揮する弾性部材４１と、弾性部材４１によってツマミ１２の裏面１２３に押し付けられる摩擦部材４２とを備えて構成されることである。トルク調整機構４は、摩擦部材４２をツマミ１２の裏面１２３に押し付けて、ツマミ１２に対するブレーキトルクを発生させ、該つまみ１２が、振動や、意図せずに何らかの部材に接触して、ボリウムが変って（ズレて）しまうことを防止するものである。
【００３３】
本実施形態では、弾性部材４１は、たとえばＳＵＳ３０１に防錆処理を施して成る板バネから構成される。図３で示すように、弾性部材４１は、支持筒１６の回りに嵌め込まれる環状の取付け部４１１と、取付け部４１１の外周縁から、支持筒１６の一直径線上に相互に離反する方向に延びる一対の連結部４１２と、連結部４１２の遊端から、支持筒１６の周方向に延び、かつ螺旋状の傾斜を有するバネ部４１３とを備えて構成される。弾性部材４１は、バネ部４１３の２箇所において、相互に平行な折れ線４１４，４１５で折曲げられ、中間部分４１３１が傾斜し、基端側部分４１３２および遊端側部分４１３３は、傾斜が無く、取付け部４１１等と平行に形成され、遊端側部分４１３３は摩擦部材４２の裏面を、面で受けるようになっている。たとえば、バネ部４１３の厚みは０．３ｍｍである。
【００３４】
この弾性部材４１に対応して、筐体３の上部パネル３１には、図４で示すように、支持筒１６の外側に、取付け部４１１およびナット１７が嵌り込むための間隔を開けて、周方向の複数箇所に、案内突起３５が形成されている。２つの案内突起３５間の隙間には、前記連結部４１２が嵌め込まれる。弾性部材４１は、図４（ａ１）および（ｂ１）で示すように、ボリウム１の筐体３への嵌め込み前にセットされ、図４（ａ３）および（ｂ３）で示すようにナット１７が締着されると、図１で示すように、そのナット１７裏面と筐体３の上部パネル３１との間に挟み込まれる。図４（ａ３）および（ｂ３）で示すように、ボリウム１が筐体３に取付けられた後、摩擦部材４２が支持筒１６の周りに嵌め込まれ、さらにツマミ１２が嵌め込まれる。
【００３５】
以上のように、本実施形態のボリウム１は、ツマミ１２のブレーキトルクをアップする摩擦部材４２を設けるにあたって、弾性部材４１を介在することで、プッシュ操作にも対応することができる。
【００３６】
また、弾性部材４１が板バネから成ることで、板金加工によって容易に作成することができるとともに、スポンジなどに比べて、経年の劣化にも強く、好適である。
【００３７】
さらにまた、摩擦部材４２をバランス良くツマミ１２の裏面１２３に押し付けるためには、板バネによる支点が多い方が良く、これに対してプッシュのストロークに対応するには、長い板バネの方が容易であるので、板バネにおいて、摩擦部材４２を支持するバネ部４１３を、回転軸１５の支持筒１６の１８０°対向位置の２箇所からほぼ半周に延びて形成する。したがって、摩擦部材４２をバランス良く支持できるとともに、充分な弾発力で、かつその調整が容易で、また板バネの中間部分４１３１を急激に立ち上げた場合に生じるような無理なストレスが掛り難く、割れ難くなる。特に、バネ部４１３の長さが稼ぎ難い、回転軸１５やツマミ１２が小径の場合に、この２箇所から延びるバネ部４１３が好適である。
【００３８】
また、筐体３には、支持筒１６の外側に案内突起３５を設けるので、環状の取付け部４１１の径方向のずれを抑えることができるとともに、その案内突起３５間への連結部４１２の嵌り込みによって、弾性部材４１の回転も抑えることができる。また、ツマミ１２のプッシュ操作に対して、バネ部４１３は案内突起３５の外周側に沿って上下することになり、動作を安定させることができる。
【００３９】
さらにまた、摩擦部材４２は、フェルトなどの摩擦を発生する部材で実現されてもよいが、本実施形態では、弾力性を有し、支持筒１６の回りに嵌め込まれる環状のゴム板から成る。前記ゴム板は、たとえば０．８ｍｍ厚のクロロプレンゴムによって実現される。これによって、図５で示すように、ツマミ１２のプッシュ時に摩擦部材４２の外周側が抑え込まれて変形する（反り返る）ので、該摩擦部材４２を支持筒１６に固定することができるとともに、該摩擦部材４２が、ツマミ１２のプッシュ時に反力を発生することができる。
【００４０】
以上のようなトルク調整機構４を備えることで、プッシュスイッチ付きボリウム１を使用していても、ボリウムが意図せず変わることがない（ズレない）電子機器２を実現することができる。
【００４１】
なお、上述のツマミ１２のトルク調整機構４は、ボリウム素子１４に限らず、同様の回転操作部品であるエンコーダに適用してもよい。
【符号の説明】
【００４２】
１    プッシュスイッチ付きボリウム（ボリウム）
１１    本体
１２    ツマミ
１２３  裏面
１３    スイッチ素子
１４    ボリウム素子
１５    回転軸
１６    支持筒
１７    ナット
２    電子機器
３    筐体
３１    上部パネル
３２    開口
３３    カバー
３５    案内突起
４    トルク調整機構
４１    弾性部材
４１１  取付け部
４１２  連結部
４１３  バネ部
４１３１    中間部分
４１３２    基端側部分
４１３３    遊端側部分
４２    摩擦部材
【図１】
0006712049.tif 000002
【図２】
0006712049.tif 000003
【図３】
0006712049.tif 000004
【図４】
0006712049.tif 000005
【図５】
0006712049.tif 000006